(57)【要約】【課題】  開口付近の壁や引戸の形状精度をあまり高くしなくとも、引戸をつねに円滑に移動して開口を確実かつ容易に開閉することができる開口の開閉構造、および高気圧空気チャンバーを提供する。【解決手段】    壁５に設けられた開口４を、案内部材２０にしたがいその壁５に沿って移動する引戸１０により開閉する。引戸１０またはその案内部材２０に、引戸１０の移動方向に長さを有する袋体３０であって流体が注入され得るものを取り付ける。その流体による袋体３０の容積変化にともなって、上記の引戸１０を、パッキン６を介し上記開口４の周囲の壁５に押し付けることとする。【選択図】      図１
2010230136.tif 000002
【特許請求の範囲】
【請求項１】
壁に設けられた開口を、案内部材にしたがいその壁に沿って移動する引戸により開閉する開口の開閉構造であって、
上記の引戸またはその案内部材に、引戸の移動方向に長さを有する袋体であって流体が注入され得るものが取り付けられていて、上記流体による袋体の容積変化にともなって、上記の引戸がパッキンを介し上記開口の周囲の壁に押し付けられることを特徴とする開口の開閉構造。
【請求項２】
上記の引戸が、上記開口を閉じるべくその開口に下から重ねられ、流体が注入されて上記袋体が膨らむとき上記開口の周囲の壁に押し付けられることを特徴とする請求項１に記載した開口の開閉構造。
【請求項３】
人が入った状態のチャンバー内が大気圧よりも高い圧力になるよう内部に空気を供給する高気圧空気チャンバーであって、
チャンバーの壁に形成された開口に対し、請求項１または２に記載した開口の開閉構造を有することを特徴とする高気圧空気チャンバー。
【請求項４】
チャンバーの内部に上記の空気を供給する空気供給手段によって、上記袋体に上記流体として空気が注入されることを特徴とする請求項３に記載の高気圧空気チャンバー。
【請求項５】
上記の引戸が、上記開口を閉じるべくその開口に下から重ねられ、空気が注入されて上記袋体が膨らむとき上記開口の周囲の壁に押し付けられるものであり、
上記の空気供給手段が停止したとき、上記チャンバーおよび上記袋体から空気が排出されることを特徴とする請求項４に記載の高気圧空気チャンバー。
【請求項６】
移動端にあるときの上記の引戸が、マグネット等の軽拘束手段にて移動を防止されることを特徴とする請求項３〜５のいずれかに記載の高気圧空気チャンバー。
【請求項７】
上記袋体が、シートが重ねられたうえ周縁部を接合されて袋状にされたものであり、上記容積変化の際に当該周縁部が他の物に接触しないように取り付けられていることを特徴とする請求項３〜６のいずれかに記載の高気圧空気チャンバー。
【発明の詳細な説明】
【技術分野】
【０００１】
請求項に係る発明は、人の出入口等として使用される開口を適切に開閉する開口の開閉構造と、人を収容しその癒し等の目的で内部を大気圧よりも高い圧力にする高気圧空気チャンバーとに関するものである。
【背景技術】
【０００２】
身体の周囲の空気を大気圧よりも高い圧力に保つと、血液や体液中の酸素量が増えること等により、癒し（ヒーリング）やリラクゼーション等の効果がある。そのような効果を得る手段として、近年、内部の空気等を高めに保って人を収容できる高気圧空気チャンバーが種々製造されている。そうした高気圧空気チャンバーには、ラバー等でできていて折りたたんで移設等することが容易なソフト型のほか、金属や硬質樹脂等を用いて構成された据え置き型のものがある。
【０００３】
上記のような高気圧空気チャンバーにおいては、人（利用者）が出入りし得るように開口（出入口）を設ける必要があり、開口には、それを扉等で開閉するとともにチャンバー内を気密に（またはほぼ気密に）保ち得る開閉構造を付設する必要がある。下記の特許文献１には、適切な開閉構造を有する高気圧空気チャンバーが記載されている。
【０００４】
特許文献１に記載の高気圧空気チャンバーおよび開閉構造は、図８に示すものである。すなわち、
・  チャンバー１’は、内部を密閉可能にした円筒形の容器からなる据え置き型のものであって、利用者Ａを収容するとともに、内部の空気圧を大気圧よりも高く保つことができる。
・  チャンバー１’の上部には、利用者Ａが出入りできる開口４’が設けられており、その開口４’が引戸１０’によって開閉される。引戸１０’は、案内レール２０’や案内手段２２’にしたがい、チャンバー１’の壁の内側に沿ってチャンバー１’の長手方向に往復移動する。引戸１０’には複数の車輪１３’が取り付けられており、各車輪１３’が上記案内レール２０’の上面に沿って移動する。
・  引戸１０’は、開口４’の内側位置では開口４’の周囲のパッキン６’に接触して空気の漏出を抑制する必要があるため、案内レール２０’の一部には図示のように傾斜案内面２１’が設けられている。車輪１３’をレール２０’に添わせて引戸１０’をスライドさせると、開口４’の内側位置付近で引戸１０’は、傾斜案内面２１’にしたがって持ち上げられ上部の壁に近づくよう移動する。これにより、開口４’の内側位置付近に達するまでは引戸１０’をパッキン６’に接触させずに楽に移動させられるとともに、当該内側位置では引戸１０’がパッキン６’に接触して空気の漏出を抑制できる（内部圧力を上昇させやすい）。開口４’を開く向きにスライドさせる際にも、レール２０’の傾斜案内面２１’を過ぎたのちは引戸１０’を楽に移動させることができる。
【先行技術文献】
【特許文献】
【０００５】
【特許文献１】特開２００７−１５４４９４号公報
【発明の概要】
【発明が解決しようとする課題】
【０００６】
特許文献１に記載の開閉構造は、高気圧空気チャンバーにおける開口付近のチャンバー壁および引戸の形状精度が十分に高い場合には上記のとおり開口の開閉を円滑にすることができる。しかし、それらの形状精度が十分でない場合には、必ずしも円滑な開閉を実現するとは限らない。開口の内側位置付近に引戸が接近して持ち上げられるとき、パッキンを介して早めに、つまり開口の真下に達する前に引戸がチャンバー壁と接触してしまい、その後の引戸の移動にはかなり強い力が必要になることがある。そのような場合、開口を閉じるときだけでなく開くときにも、引戸の操作が容易でなくなる。
【０００７】
また、たとえば透明等のアクリル板を引戸に使用する場合には、製造時の残留応力等の影響でアクリル板が経年変形を起こすことがある。そうなると、当初は高かった引戸の形状精度が時間とともに低下し、引戸の開閉が次第に円滑でなくなってしまう。
【０００８】
請求項に係る発明は、そのような事情を考慮してなしたもので、開口付近の壁や引戸の形状精度をあまり高くしなくとも、引戸をつねに円滑に移動して開口を確実かつ容易に開閉することができる開口の開閉構造、および高気圧空気チャンバーを提供する。
【課題を解決するための手段】
【０００９】
発明による開口の開閉構造は、壁に設けられた開口を、案内部材にしたがいその壁に沿って移動する引戸により開閉するもので、
・  上記の引戸またはその案内部材に、引戸の移動方向に長さを有する袋体であって流体が注入され得るものを取り付け、
・  上記流体による袋体の容積変化にともなって、上記の引戸を、パッキンを介し上記開口の周囲の壁に押し付けるよう構成した――ことを特徴とする。
袋体の容積変化にともなって上記のように引戸を壁に押し付けるには、袋体の膨らむ力が引戸を壁寄りに押し動かすようにしてもよく、また、袋体が萎むときスプリングの力や重力等によって引戸が壁に押し付けられるようにしてもよい。
【００１０】
こうした開口の開閉構造によれば、開口を閉じる際、引戸を壁に沿って動かして開口閉鎖位置（開口に被さり得る外側または内側の位置）まで移動したとき、上記の袋体に流体を注入等してその袋体の容積を変化させることにより、その容積変化にともなって上記の引戸がパッキンを介し開口の周囲の壁に押し付けられ、隙間の小さい（または隙間のない）状態にて開口を閉じることができる。逆に開口を開く際は、引戸が開口閉鎖位置にあるとき、上記袋体から流体を抜き出す等により袋体の容積を上記と逆向きに変化させると、その容積変化にともなって上記の引戸が開口の周囲の壁から離れるので、その壁に沿って引戸を移動し、開口を開くことができる。
この構造では、引戸は開口閉鎖位置に達したときにのみ壁に接近するので、特許文献１の構造とは違って、壁に接近した状態の引戸を壁に沿って移動させる必要がない。そのため、袋体の容積変化にともなって壁に押し付けられる方向への引戸の変位ストロークをある程度以上確保すれば、開口付近の壁や引戸の形状精度をあまり高くしなくとも、引戸をつねに円滑に移動して開口を確実かつ容易に開閉することが可能になる。壁に接近した引戸を壁に沿って移動させる必要がないので、壁や引戸に対してパッキンが擦れることがなく、したがってパッキンを長期間使用できるという利点もある。
引戸を壁に押し付けるには、上記のような袋体ではなく流体圧シリンダーを使用することも考えられる。しかし、袋体は、流体圧シリンダーに比べるとコストが格段に低く、取り付けも容易である。また、袋体は、上記のとおり引戸の移動方向に長さを有するものとし、それにより広い面積をもたせることができるので、注入する流体の圧力が低くてもよい。そのため、流体圧シリンダーを用いて引戸を壁に押し付ける構造に比べると、袋体を用いる構造は、流体の供給に関しても有利であり、流体供給用機器のコストや設置スペース、流体供給時の静粛性等に関してメリットがある。
なお、こうした開口の開閉構造は、高気圧空気チャンバーに限らず、乗り物や実験室等を含む種々の壁における開口に採用でき、引戸による開閉を低コストで円滑化することができる。
【００１１】
上記の引戸は、上記開口を閉じるべくその開口に下から（真下には限らず、斜め下とする場合を含む）重ねられるものとし、流体が注入されて上記袋体が膨らむときその引戸が上記開口の周囲の壁に押し付けられるようにすると好ましい。
そのようにすると、袋体に流体を注入するとき引戸を上方の壁寄りに押し付けて開口を閉じる一方、袋体の流体を抜き出すと、引戸は重力の作用で壁から下方へ離れ、壁に沿って容易に移動させ得る状態になる。つまり、開口を開こうとして引戸を壁から離すのに重力を利用でき、スプリング等の補助的手段を使用する必要がない。また、流体の供給手段が故障等して袋体に流体が注入されないとき、引戸が開口から離れているため必ず容易に開けられる、という安全面での利点ももたらされる。
【００１２】
発明による高気圧空気チャンバーは、人が入った状態のチャンバー内を大気圧よりも高い圧力にするよう内部に空気を供給するもので、チャンバーの壁に形成した開口に対し、上記した開口の開閉構造を採用したことを特徴とする。
上記の開閉構造を採用するので、この高気圧空気チャンバーには上述の作用的特徴があり、設備コストを抑えながらも引戸による開閉を円滑化することができる。袋体に供給する流体の圧力が低くてもよいので、その流体の供給時の静粛性にもすぐれている。引戸と開口との位置関係等を適切に定めれば、開口を開くとき引戸を開口から離すのに重力を利用することができ、引戸の開放について安全上の利点も得られる。
高気圧空気チャンバーは、人が入った状態で使用するものであるため、このように静粛であって安全であるという効果は、きわめて重要な意義をもつ。
開口閉鎖位置に達した引戸を袋体の容積変化によって開口の周囲の壁に押し付けると、高気圧空気チャンバーでは、引戸と壁とがパッキンを介して密に重なり、チャンバー内の空気が開口からはきわめて流出しがたくなる。チャンバー内では空気の圧力が大気圧よりも高くされるので、引戸はさらに壁寄りに押し付けられてパッキンを強くはさみ付けるからである。そのため、上記開口から空気を流出させることによる空気供給の無駄を極力少なくすることができる。
【００１３】
発明の高気圧空気チャンバーについては、チャンバーの内部に上記の空気を供給する空気供給手段によって、上記袋体に上記流体として空気を注入することとするのがとくに好ましい。
人の癒し等の目的で使用する高気圧空気チャンバーのチャンバー内の空気圧力は概ね１．３気圧程度であり、エアシリンダー等の作動流体とするには低すぎて、引戸を壁に押し付ける力を同シリンダーに発揮させることが難しい。しかし、前述のとおり袋体は引戸の移動方向に長さを有していて広い面積をもたせ得ることから、エアシリンダー等ではなく前記の袋体を駆動手段とするのであれば、そのような低い圧力であっても引戸を十分な強さで壁に押し付けることができる。
そして、チャンバー内に空気を供給する空気供給手段からの空気を上記流体として袋体に注入すると、袋体への流体供給のために専用の供給手段を設ける必要がない。したがって、流体供給に関するコストが低いほか、流体供給用機器をコンパクトに配置する上でも有利である。
【００１４】
そして上記の引戸は、上記開口を閉じるべくその開口に下から（前記と同様、斜め下からの場合を含む）重ねられ、空気が注入されて上記袋体が膨らむとき上記開口の周囲の壁に押し付けられるようにし、また、上記の空気供給手段が停止したとき、上記チャンバーおよび上記袋体から空気が排出されるようにするのがよい。
そのようにすると、空気供給手段が停止したとき、チャンバー内の圧力が下がることによって引戸が開口に押し付けられる力が下がり、また袋体が萎むことによって引戸が開口の周囲の壁から離れる。そうなると、開口閉鎖位置から引戸を容易に移動させて開口を開放することができる。つまり、上記のようにした場合、停電等によってチャンバー内の圧力が維持できなくなったとき、チャンバー内の人が引戸を操作して自由に外へ出ることができるという、安全上の利点がある。開口に対して下から引戸が重ねられるため、開口を開くとき引戸を開口の壁から離すのに重力を利用でき、スプリング等が不要であるという利点もある。
また、上記では、空気が注入されて袋体が膨らむとき引戸が壁に押し付けられるようにする。引戸を壁に押し付けるときはチャンバー内にも空気を供給することになるので、上のようにすると、袋体に対して空気を供給・排出する時期と、チャンバーに対して空気を供給・排出する時期とがそれぞれ一致する。そのため、特別な制御や弁操作によって空気の供給先や排出元を切り換えなくとも、空気供給手段をオン・オフするだけで、袋体とチャンバー内との双方に対して空気を適切に供給・排出することができる。
【００１５】
移動端にあるときの上記の引戸は、マグネット等の軽拘束手段にて移動を防止するようにすると好ましい。軽拘束手段とは、人が操作しないとき引戸の移動を防止できる程度の軽微な力で引戸を拘束する手段であり、人が力を加えるとその拘束を解除して引戸を移動させられるものをいう。
流体を注入する袋体を引戸またはその案内部材に取り付けると、袋体の膨らみ方が常に均一であるとは限らないので、案内部材に勾配が生じる等によって引戸がいずれかの向きに移動しやすくなる。しかし、移動端にあるときの引戸を上記のように軽拘束手段で移動防止するなら、袋体の膨らむとき等に引戸が不意に移動する恐れがなくなる。引戸は軽微な力で拘束されるのみであるから、引戸が開口に押し付けられていない状態では、人が容易に移動させて開放等することができる。
【００１６】
上記袋体として、シートが重ねられたうえ周縁部を接合されて袋状にされたものを使用し、上記容積変化の際に当該周縁部が他の物に接触しないように袋体を取り付けるのが好ましい。
上記のように周縁部を接合してできた袋体は、構成が簡単であって低コストであるという利点を有する。しかし、周縁部が接合されたものは、その周縁部に比較的硬いいわゆる耳の部分を有するので、容積変化の際にその耳の部分が他の物（たとえば袋体の収容ケース）に接触すると、硬質の音を発してチャンバー内の人に不快感をもたらすことが多い。その点、上のように袋体の周縁部が他の物に接触しないようにすると、不快な音が発生しないためチャンバー内が静粛に保たれる。また、他の物に接触して袋体が不規則に変形したり、そのために袋体の一部に無理な力が作用したりする不都合も生じない。
【発明の効果】
【００１７】
発明による開口の開閉構造では、開口付近の壁や引戸の形状精度をあまり高くしなくとも、引戸をつねに円滑に移動して開口を確実かつ容易に開閉することが可能になる。流体圧シリンダーではなく袋体を用いて引戸を壁に押し付けるので、流体供給用機器のコストや設置スペース、流体供給時の静粛性等に関してもメリットがある。
引戸と開口との位置関係や袋体の役割等を適切に定めると、開口を開こうとして引戸を壁から離すのに重力を利用することができるうえ、流体の供給手段が機能しないとき引戸が必ず容易に開けられる、という安全上の利点もある。
【００１８】
発明による高気圧空気チャンバーは、上記の開閉構造を採用するので、設備コストを抑えながらも引戸による開閉を円滑化することができる。静粛であって安全であるという効果があるので、人が入って使用するうえできわめて好ましい。
チャンバー内に空気を供給する空気供給手段によって上記袋体に空気を注入することとすると、袋体のために専用の流体供給手段を設ける必要がなく、コストを下げてコンパクトの構成する上で有利である。
そのほか、空気供給手段をオン・オフするだけで袋体とチャンバー内との双方に適切に空気を供給・排出できる、という構成を採用することもできる。移動端にあるときの引戸が不意に移動することを防止したり、容積変化する袋体から異音がしてチャンバー内の人に不快になることを防止したりすることも可能である。
【図面の簡単な説明】
【００１９】
【図１】発明による高気圧空気チャンバー１について全体を示す縦断面図である。
【図２】図１におけるII部の詳細図である。
【図３】図１におけるIII−III断面図である。
【図４】図１におけるIII−III断面図であるが、袋体３０が膨らんだときの状態を示すものである。
【図５】図１におけるV−V断面図である。
【図６】図１におけるVI−VI断面図である。
【図７】図１におけるVII−VII断面図である。
【図８】従来の高気圧空気チャンバー１’を示す図であり、図８（ａ）は平面図、同（ｂ）は縦断面図、同（ｃ）は同（ｂ）におけるｃ−ｃ断面図である。
【発明を実施するための形態】
【００２０】
発明の実施形態である高気圧空気チャンバー１に関し、図１〜図７に基づき説明する。
図１に示す高気圧空気チャンバー１の本体は、鉄などの金属板または樹脂板によって内部を密閉可能に形成した水平円筒形状の容器である。図８に示した従来のチャンバー１’と同様に、内部に人（利用者）を収容したうえ、その内部の空気圧を大気圧よりも０．０３ＭＰａ（約０．３ｋｇ／ｃｍ2）程度だけ高く保つことができるよう構成している。そのような高気圧下で数十分間ずつ利用者Ａを横たわらせることにより、癒し（ヒーリング）やリラクゼーション等の効果をもたらす。なお、図１において符号２は据付用の脚部、同３は寝台としてのマットである。
【００２１】
チャンバー１の壁５の上部には、利用者が出入りできるよう、全長の半分に近い長さと全周の３分の１前後の幅をもつ開口４を設けており、その開口４を引戸１０によって開閉可能としている。引戸１０は、チャンバー１の壁の内側に沿う曲面を有するたとえば透明のアクリル製のもので、開閉の際に内側または外側に大きな動作スペースをとることがないよう、前後、すなわちチャンバー１の長さ方向にスライドして開口を開閉する。開閉操作のために引戸１０には、図１のとおり外側に取っ手１１を設けているほか、チャンバー１の内側にも、利用者が操作できるように取っ手（図示省略）を取り付けている。
【００２２】
引戸１０には、スムーズにスライドするよう、支持金具１２を介して車輪１３を複数個（前後左右に合計４個）取り付け、その車輪１３を左右各１本の案内部材２０に添わせている。案内部材２０は、チャンバー１の長さ方向に継ぎ目なく延びたもので、図３等に示すようにＵ字状（上の開いたコの字状）の断面を有している。案内部材２０を軌道として車輪１３が走行することから、引戸１０は軽い力でチャンバー１の長さ方向に移動させることができ、左右に位置のずれることが防止される。
車輪１３が案内部材２０の断面内で中央付近に位置しながら走行するよう、引戸１０には図６のとおり水平ローラ１４を取り付けてもいる。水平ローラ１４は、案内部材２０のＵ字状の溝の内側に入る直径を有する水平向き（軸心が鉛直）のプラスチックローラであり、回転自在にして支持金具１２の下部に合計４個取り付けている。水平ローラ１４が案内部材２０の溝に入っていると、引戸１０の位置が左右にずれることが防止される。この点によっても引戸１０は円滑な移動が確保されやすいため、必要な形状精度が従来に比べて緩和されることになる。
【００２３】
図１のように引戸１０で開口４を閉じたときチャンバー１の内部圧力を大気圧以上にすることができるよう、開口４の周りの壁５の内側にはパッキン６を取り付けている。パッキン６はネオプレンゴムを材料とし、開口４の全周を連続的に囲むよう形成したものである。図３等に示すように、パッキン６はＤの字の断面形状をもつ中空のもので、長さ方向に延びたスジ状の突起が表側の曲面部分の表面に形成されている。引戸１０が図１のように開口４の内側位置に達したとき外側上部の壁２寄りに押し付けられるなら、パッキン６が引戸１０と壁５との間にはさまれることとなり適切なシールが実現するため、チャンバー１内に空気を供給することにより内部圧力を円滑に上昇させることができる。ただし、パッキン６によるシールは、一切の空気を漏出させない完璧なものである必要はない。わずかの空気を漏らすとしても、チャンバー１内への空気の供給量がその漏出量を上回るなら、内部圧力を上昇させて保持することが可能だからである。
【００２４】
案内部材２０に沿って移動する引戸１０が開口４の内側位置に達しただけでは、開口４がほとんど閉じてはいないため、チャンバー１内に空気を供給しても内部圧力を上昇させることができない。図示の高気圧空気チャンバー１では、開口４の内側位置に達した引戸１０を、上方にある開口４の周囲の壁５に重ねて開口４を概ね閉じることができるよう、下記のとおり案内部材２０の位置を押し上げ得る構成を採用している。
【００２５】
案内部材２０は、まず、チャンバー１の壁５に直接に固定するのではなく、壁５に固定した支持金具２１に対し、上下に変位し得るように取り付けている。すなわち図２・図５のように、案内部材２０の下部に樹脂製のスライド部材２２を設けるとともに、そのスライド部材２２を、支持金具２１に固定した金属製のガイド部材２３内に挿入している。これらスライド部材２２とガイド部材２３との作用により、案内部材２０は、上下にのみ変位し得るよう支持金具２１によって支持されることになる。ガイド部材２３の近くには、ボルトの頂部にゴムダンパ２４を取り付けてなるアジャスタブルのストッパー２５を設けたので、これにより案内部材２０の変位の下限を設定できる。
【００２６】
上下に変位し得るようにした案内部材２０を押し上げる駆動源としては、図３・図４のように袋体３０を組み込んでいる。袋体３０は、ゴムや樹脂のシートを複数枚重ねたうえ周縁部を接合し、風船のように内部に空気を注入できるようにしたものである。そのような袋体３０を、開口４の下方部分において支持金具２１上の平板２１ａの上に取り付け、その袋体３０の上に、案内部材２０と一体の押上げ板２０ａを被せている。袋体３０は、数十ｍｍの幅をもたせるとともに、チャンバー１の長さ方向に１ｍ程度の長さを有するものとする。平板２１ａおよび押し上げ板２０ａについても、袋体３０と同程度の幅と長さをもたせて袋体３０と広く接触するようにする。袋体３０の内部に空気を注入すると、袋体３０が図４のように膨らんで、押し上げ板２０ａとともに案内部材２０を押し上げ、もって引戸１０を開口４の壁５（パッキン６）に接触させることができる。
【００２７】
開口４のパッキン６に接触する程度に引戸１０を押し上げると、開口４から空気がほとんど漏れ出なくなるため、チャンバー１内に空気を供給するとき、その内部の圧力を上昇させることができる。
【００２８】
図１等の例では、１台のコンプレッサ（図示省略）を共用の空気供給手段として、チャンバー１内への空気の供給と袋体３０への空気の注入とを行わせている。つまり、コンプレッサの空気供給口（図示省略）の先にエアフィルター（同）を設け、同フィルターを通した空気をチャンバー１内に供給することとし、袋体３０には、コンプレッサの空気供給口とエアフィルターとの間から分岐させた管（図示省略）により空気を供給する。コンプレッサによる空気の圧力は０．０６ＭＰａ程度であるが、袋体３０の面積が大きいことから、そのような低い圧力であっても、案内部材２０を介して引戸１０を十分に強く押し上げ、パッキン６に接触させることができる。
【００２９】
また、上のようにすると、コンプレッサのオン・オフのみによって、袋体３０とチャンバー１との双方にそれぞれ適切に空気を供給することが可能である。まず、コンプレッサを起動したとき、エアフィルターを経由しないために圧力損失の低い袋体３０の方に空気が注入されるとともに、袋体３０に空気が充填された時点から空気の全量がチャンバー１内に供給される。袋体３０に空気が充填されたとき開口４が引戸１０で閉じられるため、その後に供給される空気はチャンバー１内に効率的に充填されて速やかに圧力を上昇させる。チャンバー１には空気排出口（図示省略）が設けられているので、圧力上昇後、チャンバー１内の空気は少しずつ排出され、新鮮なものに置き換えられながら一定の圧力に保たれる。一方、コンプレッサを停止させたときは、袋体３０およびチャンバー１内の空気がコンプレッサ寄りに逆流して徐々に排出され、チャンバー１内の空気圧力が大気圧まで下がるとともに袋体３０が萎むため、引戸１０が下方へ変位して開口４のパッキン６から離れる。引戸１０がパッキン６から離れると、取っ手１１等を持って引戸を楽にスライドさせ、開口４を大きく開くことができる。
【００３０】
したがって図１の高気圧空気チャンバー１は、つぎの要領で使用することができる。
1)  コンプレッサを起動していないとき、引戸１０を操作して開口４を開き、利用者をチャンバー１内に入れる。
2)  利用者をマット３に寝かせると、引戸１０を操作して開口４の位置まで移動し、コンプレッサを起動する。そうすると、まず袋体３０の作用で引戸１０が開口４のパッキン６に接触し、さらにチャンバー１内の空気圧力の上昇にともない引戸１０がパッキン６に押し付けられて開口４が密閉されたうえ、チャンバー１内が高気圧に保たれる。
3)  ４０〜５０分程度チャンバー１内を高気圧に保ったのち、コンプレッサを停止させる。そうすると、チャンバー１内の空気圧が下がるとともに、袋体３０も萎んで引戸１０が開口４のパッキン６から下方へ離れるので、引戸１０を移動しやすい状態になる。
4)  引戸１０を移動して開口４を開放し、利用者を外に出す。
【００３１】
高気圧空気チャンバー１では、利用者が快適に利用できるよう、つぎのような構成も採用している。
a)  案内部材２０における引戸１０の移動端位置には、図１・図２のようにマグネット２６を取り付け、支持金具１２を引き付けて引戸１０の位置を拘束できるようにした。開口４を閉じたとき（ただし引戸１０をまだ押し上げていないとき）および最も開いたときに、引戸１０が不意に移動してしまうことを防ぐためである。マグネット２６の力は小さいので、利用者等が引戸１０に力を加えると引戸１０を移動させることができる。なお、マグネット２６の背面にはクッションゴム２６ａを取り付けている。引戸１０がマグネット２６に当たるときの衝撃がクッションゴム２６ａによって緩和されるようにしたのである。衝撃をやわらげる方が、移動端に達したときの引戸１０をマグネット２６が引き留めやすいことにもなる。
b)  袋体３０は、上記のとおり複数枚のシートを重ねたうえ周縁部を接合したもので、いわゆる耳の部分３１を周縁に有するが、図３・図４のようにその部分３１を横にして、容積変化する間には他の部材に全く接触しないようにした。比較的硬い耳の部分３１が前記の平板２１ａや押し上げ板２０ａ等に接触しながら容積変化すると、異音を発して利用者に不快感をもたせるからである。なお、袋体３０は、その長さ方向の一方の端部に空気注入用の管を接続していてその管を固定するとともに、長さ方向の他方の端部に止め穴を設け、当該止め穴に止め具を差し入れることにより、支持金具２１に固定している。
c)  引戸１０に取り付けた車輪１３やその案内部材２０、さらには案内部材２０に取り付けたスライド部材２２やガイド部材２３、マグネット２６、袋体３０等は、図７のように、支持金具２１を介して取り付けるカバープレート２７により内側から覆っている。チャンバー１内に入る利用者がこれらに洋服を引っかけたりするのを防止するためである。
【００３２】
以上、発明の実施形態を図１〜図７を用いて説明したが、これ以外の形態によっても発明を実施できることは言うまでもない。たとえば、図示のように引戸が水平方向（または概ね水平方向）にスライドするのではなく、鉛直または斜めの方向にスライドする（そして開口の内側ではチャンバーの壁寄りにも移動する）という形式の高気圧空気チャンバーとしても、発明を実施することができる。
【符号の説明】
【００３３】
１    高気圧空気チャンバー
４    開口
５    壁
６    パッキン
１０    引戸
１３    車輪
２０    案内部材
２６    マグネット（軽拘束手段）
３０    袋体
【図１】
2010230136.tif 000003
【図２】
2010230136.tif 000004
【図３】
2010230136.tif 000005
【図４】
2010230136.tif 000006
【図５】
2010230136.tif 000007
【図６】
2010230136.tif 000008
【図７】
2010230136.tif 000009
【図８】
2010230136.tif 000010